(57)【要約】【課題】  水切りや水捌けが良くなり、物品の滑り落ちを防止でき、また載置面積を拡大でき、更にはタオル掛け等の収納具の取り付けが容易で、取り付け位置の変更も簡単にできる、使い勝手の良い浴室用棚を提供する。【解決手段】  物品１を載置する棚板２に、水切り用の孔２ａを多数形成する。この孔２ａを介して棚板２に取り付ける物品収納具７を、複数備える。この場合、棚板２の上面２ｂは、奥側に向かって下り勾配に形成するのが良い。また本発明は、孔２ａから棚板２の上面２ｂ側に露出する物品収納具７の引っ掛け部８の位置８ａを、棚板２の上面２ｂに密着状に形成するのが良い。【選択図】      図１
2009233073.tif 000002
【特許請求の範囲】
【請求項１】
物品を載置する棚板に、水切り用の孔が多数形成され、この孔を介して棚板に取り付けられる物品収納具を複数備えて形成されていることを特徴とする浴室用棚。
【請求項２】
請求項１記載の浴室用棚であって、棚板の上面が、奥側に向かって下り勾配に形成されていることを特徴とする浴室用棚。
【請求項３】
請求項１又は２記載の浴室用棚であって、水切り用の孔から棚板の上面側に露出する物品収納具の引っ掛け部の位置が、棚板の上面に密着状に形成されていることを特徴とする浴室用棚。
【請求項４】
請求項１乃至３の何れかに記載の浴室用棚であって、物品収納具の形態が、収納する物品に合わせて夫々異なることを特徴とする浴室用棚。
【発明の詳細な説明】
【技術分野】
【０００１】
本発明は、浴室の壁面等に取り付けて使用する浴室用棚に関し、更に詳しくは水切りや水捌けが良くなるように形成すると共に、使い勝手が良くなるよう形成した浴室用棚に関するものである。
【背景技術】
【０００２】
従来、水切りが良くなるように形成した棚としては、例えば特許文献１に記載のものが知られている。この従来品は、物品の載置面に多数の水切り孔が形成され、流し台の水槽に横に掛け渡すことができるよう、伸縮自在に形成されているものである。
【０００３】
ところで浴室の壁面等に取り付けて使用する棚は、シャワー等の水がかかり易いことから、載置面の水切り、水捌けが良くなるよう、また石鹸の飛沫などで物品が滑り落ちることがないよう形成されているのが望ましい。
しかるに従来の浴室用棚は、載置面が単に平滑な板面に形成され、石鹸やシャンプー容器など、物品が異なる場合でも、単に上面に載置して使用する構造であった。
従って従来品の場合は、載置面の水切り、水捌けが不十分になり易く、またシャワー散水等により載置物品が滑り落ち易いものであった。
また従来品の場合は、載置能力が棚の大きさに制限されただけではなく、例えばタオル掛けなどを、棚とは別個に壁面に取り付けなければならず、またこの種の収納具は壁などに一旦取り付けると、その位置を簡単には変更できないものであった。
【特許文献１】特開平７−３１５７８号公報
【発明の開示】
【発明が解決しようとする課題】
【０００４】
本発明は、このような従来の実情に鑑み、提案されたものである。
従って本発明の解決しようとする技術的課題は、水切りや水捌けが良くなり、物品の滑り落ちを防止でき、また載置面積を拡大でき、更にはタオル掛け等の収納具の取り付けが容易で、取り付け位置の変更も簡単にできるよう形成した、使い勝手の良い浴室用棚を提供することにある。
【課題を解決するための手段】
【０００５】
本発明は、上記の課題を解決するため、次のような技術的手段を採る。
即ち本発明は、図１等に示されるように、物品１を載置する棚板２に、水切り用の孔２ａが多数形成され、この孔２ａを介して棚板２に取り付けられる物品収納具７を複数備えて形成されていることを特徴とする（請求項１）。
【０００６】
棚板２は、通常、樹脂材等で長板状に形成されるが、その形状や材質は任意である。また本発明の場合、物品収納具７としては、物品１としての石鹸やシャンプー容器等を載置する棚形式のものや、タオル等の物品１を吊り下げるバー形式のものがある。本発明の場合、物品収納具７を棚板２に取り付ける仕方としては、例えば物品収納具７の引っ掛け部８を、棚板２の下側から孔２ａに通し、孔２ａを介して物品収納具７を棚板２に引っ掛けて吊り下げたり、或いは物品収納具７の係合爪９を、孔２ａに上から差し入れて取り付ける方法等がある。
【０００７】
而して本発明の場合、上記の棚板２の上面２ｂが、奥側に向かって下り勾配に形成されているのが好ましい（請求項２）。
なぜならこれによると、物品収納具７の引っ掛け部８と棚板２の上面２ｂとの引っ掛かり具合が確実になり、物品収納具７の姿勢を安定化できるからである。
【０００８】
またこの場合は、水切り用の孔２ａから棚板２の上面２ｂ側に露出する物品収納具７の引っ掛け部８の位置８ａが、棚板２の上面２ｂに密着状に形成されているのが好ましい（請求項３）。
なぜならこれによると、物品収納具７の引っ掛け部８の位置８ａと上面２ｂとの摩擦抵抗が増大し、物品収納具７の姿勢を、一層安定化できるからである。
【０００９】
また本発明の場合、物品収納具７の形態は、収納する物品１に合わせて夫々異なるのが好ましい（請求項４）。
なぜならこれによると、物品１に対応して体裁良く、確実に収納でき、使い勝手が一層良くなるからである。
【発明の効果】
【００１０】
本発明は、このように物品を載置する棚板に、水切り用の孔を多数形成し、この孔を介して棚板に取り付ける物品収納具を複数備えているものである。
従って本発明によれば、棚板の上面の水切り、水捌けが良くなり、物品の滑り落ちを防止でき、また載置面積を拡大でき、更には物品収納具の取り付けを簡単、迅速にでき、取り付け位置の変更を楽にできるものである。
【発明を実施するための最良の形態】
【００１１】
以下、本発明を実施するための最良の形態を説明する。
図１等において、１は、石鹸やシャンプー容器等の物品である。また２は、この物品１を載置する棚板である。この棚板２は、この実施形態では樹脂材で長板状に形成され、全体に満遍なく水切り用の孔２ａが多数形成されている。またこの棚板２の上面２ｂは、図４に示されるように、奥側に向かって下り勾配に形成されている。３は、棚板２にネジ４で止め付けられている棚受け部である。棚板２は、壁等の取付箇所５に棚受け部３がネジ６で止め付けられることにより固定される。
【００１２】
７は、孔２ａを介して棚板２に取り付けられる物品収納具である。本発明は、この物品収納具７を複数備えて形成されている。物品収納具７は、この実施形態では、図１、図５に示されるように、孔２ａを介して棚板２に引っ掛けて吊り下げるタイプと、図７に示されるように、孔２ａを介して棚板２に取り付けて載置するタイプとに形成され、収納する物品１に合わせて形態が異なるように構成されている。
【００１３】
図５に示される吊り下げタイプの物品収納具７は、同図Ａに示されるように、物品１を載置する棚型や、同図Ｂに示されるように、タオル等の物品１を吊り下げて使用するバー型に形成されている。またこの物品収納具７は、腕部材７ａの上端に引っ掛け部８が形成されている。そしてこの実施形態では、図６に示されるように、孔２ａから棚板２の上面２ｂ側に露出する引っ掛け部８の位置８ａが、棚板２の上面２ｂに密着状に形成されている。
【００１４】
また載置タイプの物品収納具７は、図７、図８に示されるように、収納具７を棚板２に取り付けるための係合爪９を、左右一対備えて形成されている。この係合爪９は、この実施形態では載置部７ｂの前側の縁から前方に突き出され、側面視で鉤形に形成されている。物品収納具７は、係合爪９が孔２ａへ差し込まれて係合することにより、棚板２に取り付けられるものである。
【００１５】
なお図７Ａに示される物品収納具７は、載置部７ｂに載せた物品１の背を支持する背凭れ部材７ｃが起立部材７ｄに固定されている。また同図Ｂに示される物品収納具７は、載置部７ｂの前側が開放されてケース状に形成されている。
【００１６】
次に本発明の使用例を説明する。
ユーザーは、図４、図６に示されるように、物品収納具７の引っ掛け部８の先端を棚板２の下側から水切り用の孔２ａに通し、棚板２に物品収納具７を吊り下げる。この場合、棚板２の上面２ｂから露出する引っ掛け部８の位置８ａは、上面２ｂに密着する。また上面２ｂは、奥側に向かって下り勾配に形成されているから、物品収納具７はぶれることなく安定した姿勢で棚板２に吊り下げられる。ユーザーは、この状態で物品収納具７の形態に合わせ、例えば図５Ａのタイプの収納具７の場合は物品１を載せ、また同図Ｂのバー形状の物品収納具７の場合は、図１に示されるようにタオル等の物品１を引っ掛けて使用する。
【００１７】
また載置タイプの物品収納具７の場合は、図４、図８に示されるように、係合爪９を棚板２の孔２ａに差し入れ、棚板２の上面２ｂに物品収納具７を載せて使用する。係合爪９は、先端側９ａの上面が棚板２の下面に当たり、屈曲箇所の背面９ｂが孔２ａの内周面に係止する。従ってこれにより収納具７は、後側にずれ落ちることなく、棚板２に固定される。
【００１８】
以上の処において、本発明の場合、物品収納具７の形態や材質は、上例に限定されるものではなく任意である。また棚板２との取り付け方についても、水切り用の孔２ａを利用して取り付ける構造であれば、本発明は上記の引っ掛け部８や係合爪９の構成に限定されるものではない。
【図面の簡単な説明】
【００１９】
【図１】本発明の浴室用棚の好適な一実施形態を示す使用状態時の斜視図である。
【図２】同上浴室用棚の棚板の平面図である。
【図３】同上浴室用棚の棚板の正面図である。
【図４】図２のＩＶ−ＩＶ線における取付時の断面図である。
【図５】Ａ、Ｂとも吊り下げタイプの物品収納具を示す斜視図である。
【図６】吊り下げタイプの物品収納具の取付時の要部断面図である。
【図７】Ａ、Ｂとも載置タイプの物品収納具を示す斜視図である。
【図８】載置タイプの物品収納具の取付時の要部断面図である。
【符号の説明】
【００２０】
１      物品
２      棚板
２ａ    水切り用の孔
２ｂ    上面
７      物品収納具
８      引っ掛け部
【図１】
2009233073.tif 000003
【図２】
2009233073.tif 000004
【図３】
2009233073.tif 000005
【図４】
2009233073.tif 000006
【図５】
2009233073.tif 000007
【図６】
2009233073.tif 000008
【図７】
2009233073.tif 000009
【図８】
2009233073.tif 000010